(57)【要約】要約課題  特定の人物または、ペットなどの動物に似ているフィギュアであると共に、そのフィギュアを注文した者あるいはその事実を知る者のみが特別の思い入れを抱くことができるフィギュアを提供する。課題を解決するための手段  フィギュア１０は、本体部２０と、所定部位３０とを有し、本体部２０の内部に分離物４０を配置する。その本体部２０は、特定の人物あるいは特定のペットなどの動物を模したものであり、特に思い入れのあるそれら人物等を模したものである。また、本体部２０の内部に配置されている分離物４０は、それら特定の人物等の体毛すなわちヘアーまたはへその緒のいずれか一方または双方である。選択図          図１
2018123544.tif 000002
【特許請求の範囲】
【請求項１】
特定の人物または特定のペットを模した本体と、
前記本体に取り付けることができる所定部位と、を有し、
前記本体または前記所定部位に、前記特定の人物または特定のペットの分離物を配置したフィギュア。
【請求項２】
前記特定の人物または特定のペットの分離物を、前記本体または前記所定部位の内部に配置した請求項１記載のフィギュア。
【請求項３】
前記分離物は、前記特定の人物または特定のペットのヘアーまたはへその緒のいずれか一方または双方である請求項１または２記載のフィギュア。
【請求項４】
特定の人物または特定のペットを模した本体と、
前記本体に取り付けることができる所定部位と、を有し、
前記本体または前記所定部位に、前記特定の人物または特定のペットの他の分離物を配置し、前記他の分離物は、前記特定の人物または特定のペットの喉仏、または、遺灰のいずれか一方または双方であるフィギュア。
【請求項５】
特定の人物または特定のペットを模したフィギュアを製作するための本体型を構成する表面型と裏面型のうち、その表面型または裏面型に樹脂を塗布する第１塗布工程と、
前記第１塗布工程により塗布された樹脂の上に、特定の人物または特定のペットの分離物を配置する分離物配置工程と、
前記分離物配置工程によって分離物を配置した箇所に重ねて樹脂を塗布する第２塗布工程と、
前記表面型と、前記裏面型とを合わせて、本体型とし、その本体型に樹脂を流し込む第１成形工程と、を含むフィギュアの製造方法。
【請求項６】
前記分離物は、前記特定の人物または特定のペットのヘアーまたはへその緒のいずれか一方または双方である請求項４記載のフィギュアの製造方法。
【請求項７】
特定の人物または特定のペットを模したフィギュアを製作するための本体型を構成する表面型と裏面型のうち、その表面型または裏面型に樹脂を塗布する第１塗布工程と、
前記第１塗布工程により塗布された樹脂の上に、特定の人物または特定のペットの他の分離物を配置する他の分離物配置工程と、
前記他の分離物配置工程によって他の分離物を配置した箇所に重ねて樹脂を塗布する他の第２塗布工程と、
前記表面型と、前記裏面型とを合わせて、本体型とし、その本体型に樹脂を流し込む第１成形工程と、を含み、
前記他の分離物は、前記特定の人物または特定のペットの喉仏または、遺灰のいずれか一方または双方であるフィギュアの製造方法。
【発明の詳細な説明】
【技術分野】
【０００１】
本発明は、特定に人物等に似せたフィギュアとその製造方法に関するものである。
【背景技術】
【０００２】
特定の人物に似せたフィギュアの製造方法として、たとえば、特開２００７−１４６９３号公報が開示されている。これは、顔の外観を左右するポイントとなる予め定められた複数の箇所にそれぞれ対応する部品を嵌合させるための窪みとしての部品収容穴が設けられた頭部と、前記部品収容穴にそれぞれ嵌合自在で、表面に顔の対応する箇所がそれぞれ異なる形態で造形された複数の部品の中から頭部の各部品収容穴に１つずつ選んで嵌合させる顔部品とを具備することを特徴とするものである。【０００３】
これは、頭部本体には、幾つかの部品収容穴が開いており、ここにそれぞれ複数の態様で用意された部品の中から選ばれた眉毛、目部品、鼻部品、口部品および顎部品を１つずつ取り付けることにより、頭部の形状や眉毛、目等の部品を構成する主要部の大きさ、傾き、配置位置等の態様が選択されて、ユーザのイメージ通りの人形が作製されるというものである。これはいわば、モンタージュ写真のように、あらかじめ目、鼻等を作成して、上記頭部本体にはめ込むというものである。【０００４】
また、特開２００６−３５５６２号公報において、人間、動物、人気アニメーションのキャラクタなどの対象物の形状を模した立体模型を用意する前工程と、前記対象物の全体あるいは一部を撮影する撮影工程と、撮影画像を、前記立体模型の対応部分に印刷可能な大きさとなるように編集する工程を含む画像編集工程と、編集後の撮影画像を、インクジェットプリンタを用いて、前記立体模型の対応部分に印刷する印刷工程とを有している写真画像付き立体模型の制作方法が開示されている。【０００５】
これは、立体模型にいわば特定の人物の写真を印刷してフィギュアを構成するというものであり、そのフィギュアに写真が付されているに過ぎないものである。【０００６】
いずれも、このようなフィギュアは、特定の人物に、比較的似せることができるものの、それ以上ではなく、そのフィギュアに特別の思い入れを抱くことはない。
【先行技術文献】
【特許文献】
【０００７】
【特許文献１】特開２００７−１４６９３号
【特許文献２】特開２００６−３５５６２号
【発明の概要】
【発明が解決しようとする課題】
【０００８】
本発明は前記の点に鑑みなされたもので、その課題は、特定の人物または、ペットなどの動物に似ているフィギュアであると共に、そのフィギュアを注文した者あるいはその事実を知る者のみが特別の思い入れを抱くことができるフィギュアを提供することである。
【課題を解決するための手段】
【０００９】
前記の課題を解決するため、第１観点のフィギュアは、特定の人物または特定のペットを模した本体と、本体に取り付けることができる所定部位と、を有し、本体または前記所定部位に、特定の人物または特定のペットの分離物を配置したというものである。【００１０】
また、第２観点のフィギュアは、第１観点のフィギュアにおいて、特定の人物または特定のペットの分離物または他の分離物を、本体または所定部位の内部に配置したというものである。【００１１】
また、第３観点のフィギュアは、第１観点または第２観点において分離物は、特定の人物または特定のペットのヘアーまたはへその緒のいずれか一方または双方であるというものである。【００１２】
また、第４観点のフィギュアは、特定の人物または特定のペットを模した本体と、本体に取り付けることができる所定部位と、を有し、本体または所定部位に、特定の人物または特定のペットの他の分離物を配置し、他の分離物は、特定の人物または特定のペットの喉仏、または、遺灰のいずれか一方または双方であるというものである。【００１３】
第５観点のフィギュア製造方法は、特定の人物または特定のペットを模したフィギュアを製作するための本体型を構成する表面型と裏面型のうち、その表面型または裏面型に樹脂を塗布する第１塗布工程と、第１塗布工程により塗布された樹脂の上に特定の人物または特定のペットの分離物を配置する分離物配置工程と、分離物配置工程によって分離物を配置した箇所に重ねて樹脂を塗布する第２塗布工程と、表面型と、裏面型とを合わせて、本体型とし、その本体型に樹脂を流し込む第１成形工程と、を含むというものである。【００１４】
第６観点のフィギュア製造方法は、第５観点において、分離物は、特定の人物または特定のペットのヘアーまたはへその緒のいずれか一方または双方であるというものである。【００１５】
第７観点のフィギュア製造方法は、特定の人物または特定のペットを模したフィギュアを製作するための本体型を構成する表面型と裏面型のうち、その表面型または裏面型に樹脂を塗布する第１塗布工程と、第１塗布工程により塗布された樹脂の上に、特定の人物または特定のペットの他の分離物を配置する他の分離物配置工程と、他の分離物配置工程によって他の分離物を配置した箇所に重ねて樹脂を塗布する他の第２塗布工程と、表面型と、裏面型とを合わせて、本体型とし、その本体型に樹脂を流し込む第１成形工程と、を含み、他の分離物は、特定の人物または特定のペットの喉仏または、遺灰のいずれか一方または双方であるというものである。
【発明の効果】
【００１６】
本発明は以上のように構成され、かつ、作用するものであるから、特定の人物または、ペットなどの動物に似ているフィギュアであると共に、そのフィギュアを注文した者あるいはその事実を知る者のみが特別の思い入れを抱くことができるフィギュアを提供することができる。
【図面の簡単な説明】
【００１７】
【図１】フィギュアの正面図。
【図２】図１のＩＩ−ＩＩ線断面図。
【図３】原型の正面図。
【図４】本体原型と所定部位原型の分離状態図。
【図５】本体型における表面型と裏面型の正面図。
【図６】所定部位型における所定表面型と所定裏面型の正面図。
【図７】Ａは、表面型の一部に樹脂を流し込む状態図。Ｂは、樹脂を流し込んだ箇所に分離物を配置する状態図。
【図８】Ａは、分離物を配置した箇所にさらに樹脂を流し込む状態を示した状態図。Ｂは、分離物を配置した箇所にさらに樹脂を流し込んだ状態を示した状態図。
【図９】Ａは、表面型と裏面型とを合わせた、本体型の状態図。Ｂは、さらにその本体型に樹脂を流し込む状態を示した状態図。
【図１０】本体型から取り出す本体部の状態図。
【図１１】Ａは所定部位型に樹脂を流し込む状態を示した状態図、Ｂは、所定部位型から所定部位を取り出す状態を示した状態図。
【図１２】Ａは、本体部と、所定部位が離れた状態を示した正面図。Ｂは、本体部と、所定部位が接続された状態を示した正面図。
【図１３】他の実施例のフィギュアの正面図。
【図１４】図１３のＸＩＶ−ＸＩＶ線断面図。
【図１５】Ａは、表面型の一部に樹脂を流し込む状態図。Ｂは、樹脂を流し込んだ箇所に分離物を配置する状態図。
【図１６】Ａは、他の分離物を配置した箇所にさらに樹脂を流し込む状態を示した状態図。Ｂは、他の分離物を配置した箇所にさらに樹脂を流し込んだ状態を示した状態図。
【発明を実施するための最良の形態】
【００１８】
以下、実施例を説明する。フィギュア１０は、本体部２０と、所定部位３０とを（図１参照）、本体部２０の内部に分離物４０（ヘアー４０ａ、へその緒４０ｂ）を配置している（図２参照）。本体部２０は、特定の人物あるいは特定の動物を模したものであり、特に思い入れのあるそれら人物等を模したものである。また、本体部２０の内部に配置されている分離物４０は、それら特定の人物等の体毛すなわちヘアー４０ａまたはへその緒４０ｂ、またはそれら双方を配置することができる。ヘアー４０ａは、特定の人物の頭髪のみならず、髭、脇毛、胸毛、陰毛、まつげ、眉毛、手足の毛等も含まれる趣旨である。また、ペットなど動物の体毛を配置するものである。さらに、本実施例の場合後述の製造方法によって、分離物４０が、本体部２０の内部に埋め込まれた構成である。とくに本体部２０の表面にその分離物４０が現れない構成であることが好ましい。【００１９】
本実施例においては、本体部２０は、頭部２１と、胴体２２と、台座２３と、を有し、それらは一体に成型されている。また本体部２０と、所定部位３０とはほぼ樹脂Ｐで製作されている。また、本実施例において、フィギュア１０は、特定の人物を模したものであるが、特定のペットなどの動物でも好ましい。特定の人物または特定の動物とは、注文した者、または、その事実を知る者が、思い入れのある人物または思い入れのある動物をいう。また台座２３には、その特定の人物または特定のペットなどの動物の名前と、その生年月日を記載することもできる（図示しない）。【００２０】
フィギュア１０の製造方法について説明する。特定の人物を正確にかたどった原型１００を公知の方法で作成する。たとえばその特定の人物等の各寸法を採寸して、それらを３Ｄデータとし、その３Ｄデータを３Ｄプリンターに入力して、その３Ｄプリンターで原型１００を作成することができる。これ以外にも、粘土から削り出して原型１００を作成することができる（図３参照）。【００２１】
このように製作した原型１００を、本体原型１０１と所定部位原型１０２とに分ける（図４参照）。その後、それぞれをシリコンゴムで型取りをして、本体型２００と所定部位型３００とを作成する（型取り工程、図５、図６参照）。このように、本体原型１０１と、所定部位原型１０２と、を分けることで、後述の樹脂Ｐの流し込みをする際に、後述する本体型２００と、所定部位型３００とにおけるそれぞれの細部にその樹脂Ｐが流れ込み易くなる。【００２２】
上述の型取り工程で作成した特定の人物または特定のペットを模したフィギュアを製作するための本体型２００は、表面型２１１と裏面型２１２とを有している（図５参照）。すなわち、本体型２００は、表面型２１１と裏面型２１２で構成されている。なお、凸部２１１ａと凹部２１２ｂを嵌合することで、表面型２１１と裏面型２１２とのずれを防止することができる。また、表面型２１１の一部に樹脂Ｐ１を筆Ｆで塗る（図７Ａ参照、第１塗布工程）。表面型２１１の頭部に相当する部分に、樹脂Ｐ１を塗布することが好ましい。なお、本実施例においては、筆Ｆで樹脂Ｐ1をこの表面型２１１に塗布するが、裏面型２１２の一部に塗布しても好ましく、筆Ｆで塗布することに限られることはない。また、表面型２１１の一部のみならず、全面を塗布するものであっても好ましく、裏面型２１２の一部のみならず全面であっても好ましい。なお、図示しないが、表面型２１１においてへその部分に相当する箇所に、樹脂Ｐ１を塗布することも好ましい。また本実施例においては、本体型２００は、表面型２１１と裏面型２１２で構成されているが、さらに複数の型に分割することを妨げるものではない。【００２３】
上記第１筆塗り工程において、表面型２１１の一部に、筆Ｆを用いて樹脂Ｐ１を塗った箇所に、分離物４０を配置する（図７Ｂ参照、分離物配置工程）。なお、本実施例において分離物４０は、ヘアー４０ａ及びへその緒４０ｂが好ましく、特定の人物等のヘアー４０ａの場合は、そのヘアー４０ａを表面型２１１における頭部付近に配置している。また、分離物４０を配置した箇所に重ねて樹脂Ｐ２を筆Ｆで塗る（図８、Ａ、Ｂ参照、第２塗布工程）。これにより、第１塗布工程で塗布した樹脂Ｐ１と第２塗布工程で塗布した樹脂Ｐ２と、において、分離物４０を挟み込むように構成する。このように、第１塗布工程と第２塗布工程とにおいて、塗布した樹脂Ｐ１、Ｐ２の間に分離物４０を挟むように構成することで、第１塗布工程において塗布した樹脂Ｐ１によって、フィギュア１０の外部に分離物４０が露出することなく配置することができる。また、第２塗布工程において塗布した樹脂Ｐ２により分離物４０を固定することができ、後述する第１成形工程において流し込まれた樹脂Ｐ１によって、その分離物４０が移動することを防止することができる。上記のとおり、分離物４０が、特定の人物等のヘアー４０ａの場合は頭部付近に配置し（図７Ｂ参照）、その分離物４０がへその緒４０ｂである場合は、表面型２１１における胴体部分特にへその部分に筆Ｆを用いて樹脂Ｐ１を塗り、その箇所に、その分離物４０を配置し、その分離物４０を配置した箇所に重ねて樹脂Ｐ２を筆Ｆで塗ることで、第１塗布工程で塗布した樹脂Ｐ１と第２塗布工程で塗布した樹脂Ｐ２と、において、分離物４０特にへその緒を挟み込むように構成する（図示せず）。その後の工程はほぼ同様である。また、ヘアー４０ａまたはへその緒４０ｂの一方のみの場合だけでなく、双方を配置することもできる。【００２４】
上記のとおり、上記第１塗布工程における樹脂Ｐ１と、第２塗布工程における樹脂Ｐ２と、において分離物４０を固定した上記第２塗布工程の後に、表面型２１１と裏面型２１２とを合わせて（図９Ａ参照）、本体型２００とし、その本体型２００に樹脂Ｐを流し込む（図９Ｂ参照、第１成形工程）。これにより、流し込まれた樹脂Ｐが、本体部２０は、第２塗布工程で塗布した樹脂Ｐ２と、分離物４０と第１塗布工程で塗布した樹脂Ｐと、が一体化する。なお樹脂Ｐ、Ｐ１、Ｐ２いずれの樹脂の概念には蝋が含まれるものであり、その他、樹脂Ｐ、Ｐ１、Ｐ２に合成樹脂を使用することができる。また、たとえばポリエステル樹脂、ＥＶＡ樹脂、ポリプロピレン樹脂、ポリアミド樹脂、ＡＢＳ、ポリプロピレン、スチロール、を用いることができる。また、樹脂Ｐ、Ｐ１、Ｐ２は同じ樹脂を使用することが好ましい。【００２５】
所定部位型３００も所定表面型３０１と所定裏面型３０２とを有し（図６参照）、所定凸部３０１ａと所定凹部３０２ｂとを有し、それらを嵌合することで所定表面型３０１と所定裏面型３０２とを一体とし、その一体とした所定部位型３００に、樹脂Ｐを流し込み、所定部位３０を構成する（図１１Ａ、Ｂ参照、第２成形工程）。なお、所定部位型３００における所定表面型３０１または所定裏面型３０２において、第１塗布工程における樹脂Ｐ１と、第２塗布工程における樹脂Ｐ２と、において分離物を固定することができる。これによって、所定部位３０に、分離物を配置することもできる（図示せず）。【００２６】
上記第１成形工程において成形した後に（図１０参照）、本体原型１０１から取り出した本体部２０と、上記第２成形工程において成形した後に所定部位型３００から取り出した所定部位３０と、を組み立てる（図１２ＡＢ参照、組立工程）。この組み立ては、本体部２０と、所定部位３０とを接着する。また、たとえば、本体部２０にあらかじめ、ワイヤーをインサート成形し、そのワイヤーに、所定部位３０を取り付けて接続することもできる（図示せず）。なお、本実施例において所定部位３０とは両腕であるが、フィギュア１０のモデルによっては、両足あるいは、尾、でも好ましい。また、本体型において、特定の人物等の全身を作成することにより、上記第１成形工程においてフィギュア１０全体を作成することもできる（図示せず）。【００２７】
その後、好みに応じて、本体部２０において頭部２１あるいは胴体２２を着色し、特定の人物に似せるように塗装する。また台座２３は黒色または金色が好ましい。たとえば２４金メッキ等が特に好ましい（図１参照）。また、樹脂Ｐ、Ｐ１、Ｐ２そのものに色付けしても好ましい。【００２８】
本実施例のフィギュア１０は人物をモデルとして構成したが、犬や猫などのペットなどの動物をモデルとしても好ましい。また、分離物４０は、フィギュア１０の内部に埋めこまれ外部に露出しない。従って、そのフィギュア１０を見た第三者は、その分離物４０を目にすることがないために、嫌悪感を抱かせることはない。また、そのフィギュア１０を注文した者あるいはその事実を知る者のみが、その特定の人物の分離物４０が、フィギュア１０の体内に配置されていることを知っているので、その注文した者あるいはその事実を知る者のみが、そのフィギュア１０に特別の思い入れを抱くことができる。特にその特定の人物あるいはペットなどが生存している場合のみならず死去した場合は特に思い入れの強いフィギュア１０となることはいうまでもない。【００２９】
また、さらに他の実施例として、他のフィギュア１１は、本体部２０と、所定部位３０（図１３参照）と、本体部２０の内部に他の分離物４１（喉仏４１ａ、遺灰４１ｂ）とを配置している（図１４参照）。本体部２０については上記のとおりであるので符号を付しその説明は省略する。また、本体部２０の内部に配置されている他の分離物４１は、それら特定の人物等の喉仏４１ａを配置することができる。また、特定の人物等の遺灰４１ｂを配置することができる。すなわちそれらの一方または双方をその他のフィギュア１１に配置することができる。遺灰４１ｂは、人形の任意の場所に配置することもできるが他の実施例においては他のフィギュア１１の腹部に配置している。さらに、他の実施例の場合上述の製造方法によって、他の分離物４１が、本体部２０の内部に埋め込まれた構成である。とくに本体部２０の表面に、上記他の分離物４１が現れない構成であることが好ましいことは上記と同様である。【００３０】
すなわち、上記実施例におけるフィギュア１０と他の実施例における他のフィギュア１１との相違は、分離物４０を埋め込む代わりに、他の分離物４１が埋め込まれていることが相違している。従って、他のフィギュア１１の製造方法を説明することでこの相違を説明する。もっとも、他のフィギュア１１に分離物４０を埋め込むことを排除する趣旨ではなく、分離物４０と他の分離物４１との双方をフィギュアに埋め込むことができる。【００３１】
他のフィギュア１１の製造方法については、上記のフィギュア１０の製造方法と大部分で同様である。従って、その相違点のみを説明しその他は省略する。相違点は、上記第１筆塗り工程において、表面型２１１の一部に、筆Ｆを用いて樹脂Ｐ１を塗った箇所に、分離物４０を配置する（図７Ｂ参照、分離物配置工程）ことに換えて、他の分離物４１を配置する（図１５Ｂ参照、他の分離物配置工程）点である。【００３２】
上記のとおり、他の実施例において他の分離物４１は、喉仏４１ａ、遺灰４１ｂが好ましく、特定の人物等の喉仏４１ａの場合は、その喉仏４１ａを表面型２１１における咽の付近に配置することができる。また、他の分離物４１を配置した箇所に重ねて樹脂Ｐ２を筆Ｆで塗る（図１６、Ａ、Ｂ参照、他の第２塗布工程）。これにより、第１塗布工程で塗布した樹脂Ｐ１と他の第２塗布工程で塗布した樹脂Ｐ２と、において、他の分離物４１を挟み込むように構成する。このように、第１塗布工程と他の第２塗布工程とにおいて、塗布した樹脂Ｐ１、Ｐ２の間に他の分離物４１を挟むように構成することで、第１塗布工程において塗布した樹脂Ｐ１によって、他のフィギュア１１の外部に他の分離物４１が露出することなく配置することができる。また、他の第２塗布工程において塗布した樹脂Ｐ２により他の分離物４１を固定することができ、上述の第１成形工程において流し込まれた樹脂Ｐ１によって、その他の分離物４１が移動することを防止することができる。【００３３】
上記のとおり、他の分離物４１が、特定の人物等の喉仏４１ａの場合は、のど付近に配置し（図１５Ｂ参照）、その他の分離物４１が、遺灰４１ｂである場合は、表面型２１１における腹部に筆Ｆを用いて樹脂Ｐ１を塗り、その箇所に、その他の分離物４１を配置し、その他の分離物４１を配置した箇所に重ねて樹脂Ｐ２を筆Ｆで塗ることで、第１塗布工程で塗布した樹脂Ｐ１と第２塗布工程で塗布した樹脂Ｐ２と、において、他の分離物４１特に遺灰４１ｂを挟み込むように構成する（図示せず）。その後の工程はほぼ同様である。また、喉仏４１ａまたは遺灰４１ｂのいずれか一方のみの場合だけでなく、双方を配置することもできる。なお上述の上記第２塗布工程の後に表面型２１１と裏面型２１２とを合わせて（図９Ａ参照）、本体型２００とし、その本体型２００に樹脂Ｐを流し込む（図９Ｂ参照、第１成形工程）工程は同様である。従って、所定部位型３００における所定表面型３０１または所定裏面型３０２において、第１塗布工程における樹脂Ｐ１と、他の第２塗布工程における樹脂Ｐ２と、において他の分離物４１を固定することができる。これによって、所定部位３０に、他の分離物４１を配置することもできる（図示せず）。
【符号の説明】
【００３４】
１０  フィギュア
１１  他のフィギュア
２０  本体部
３０  所定部位
４０  分離物
４１  他の分離物
１００  原型
１０１  本体原型
１０２  所定部位原型
２００  本体型
２１１  表面型
２１２  裏面型
３００  所定部位型
３０１  所定表面型
３０２  所定裏面型
Ｐ、Ｐ１、Ｐ２、樹脂
【図１】
2018123544.tif 000003
【図２】
2018123544.tif 000004
【図３】
2018123544.tif 000005
【図４】
2018123544.tif 000006
【図５】
2018123544.tif 000007
【図６】
2018123544.tif 000008
【図７】
2018123544.tif 000009
【図８】
2018123544.tif 000010
【図９】
2018123544.tif 000011
【図１０】
2018123544.tif 000012
【図１１】
2018123544.tif 000013
【図１２】
2018123544.tif 000014
【図１３】
2018123544.tif 000015
【図１４】
2018123544.tif 000016
【図１５】
2018123544.tif 000017
【図１６】
2018123544.tif 000018
【国際調査報告】
2018123544.tif 000019
2018123544.tif 000020
2018123544.tif 000021
2018123544.tif 000022